(57)【要約】      （修正有）【課題】種々の被制御機器に対応するリモートコントロール送信機を短期間に製造可能なマイクロコンピュータを提供する。【解決手段】リモートコントロール送信機の動作を制御するマイクロコンピュータ１に、アプリケーションプログラムを書き換え可能に格納するプログラマブルＲＯＭ３と、ＣＲ発振回路６と、赤外発光素子を駆動制御する発光素子ドライブ回路７とを内蔵し、異なる仕様のリモートコントロール送信機の主要部品を、１個のＩＣチップで共用する。【選択図】  図２
2006332981.tif 000002
【特許請求の範囲】
【請求項１】
キーボードスイッチ（１２）のいずれかの操作されたキー（１１）を検出し、操作されたキー（１１）に応じた赤外制御信号を赤外発光素子（１６）から発光し、被制御機器を遠隔制御するリモートコントロール送信機（１０）に搭載され、リモートコントロール送信機（１０）の前記動作を制御するマイクロコンピュータ（１）であって、
１個のＩＣチップで構成されるマイクロコンピュータ（１）に、
リモートコントロール送信機（１０）の動作を制御する任意のアプリケーションプログラムを書き換え可能に格納するプログラマブルＲＯＭ（３）と、
プログラマブルＲＯＭ（３）に格納されたアプリケーションプログラムを実行するＣＰＵ（２）と、
ＣＰＵ（２）の動作クロックを生成するＣＲ発振回路（５）と、
赤外発光素子（１６）を駆動制御する発光素子ドライブ回路（７）とが、
内蔵されることを特徴とするマイクロコンピュータ。
【請求項２】
マイクロコンピュータ（１）を構成するＩＣチップは、キーボードスイッチ（１２）のスイッチ電極が印刷形成されたプリント配線基板上に実装され、
ＩＣチップをリモートコントロール送信機（１０）のプリント配線基板へ実装する際に、インラインライタにより、アプリケーションプログラムがプログラマブルＲＯＭ（３）に書き込まれることを特徴とする請求項１記載のマイクロコンピュータ。
【請求項３】
マイクロコンピュータ（１）を構成するＩＣチップは、パッケージに封入されないまま、キーボードスイッチ（１２）のスイッチ電極が印刷形成されたプリント配線基板上に実装され、
ワイヤボンディングにより、ＩＣチップのボンディングパッドを、プリント配線基板の対応するリードパターンへ電気接続されることを特徴とする請求項１記載のマイクロコンピュータ。
【発明の詳細な説明】
【技術分野】
【０００１】
本発明は、リモートコントロール送信機の動作を制御するマイクロコンピュータに関し、更に詳しくは、リモートコントロール送信機の動作を制御するアプリケーションプログラムをフィールドプログラム可能なプログラマブルＲＯＭ（Ｐｒｏｇｒａｍｍａｂｌｅ  Ｒｅａｄ  Ｏｎｌｙ  Ｍｅｍｏｒｙ）を内蔵するマイクロコンピュータに関する。
【背景技術】
【０００２】
テレビジョン受像機等の被制御機器を遠隔制御する従来のリモートコントロール送信機（特許文献１）は、多数のキーからなるキーボードスイッチが設けられ、そのいずれかのキーを入力操作すると、操作されたキーに応じた制御命令を含む赤外制御信号が赤外発光素子から発光され、赤外制御信号を受光した被制御機器において制御命令に従った動作が実行される。
【０００３】
【特許文献１】特許第３１５３０８４号（第３欄、第４欄、図１０）
【０００４】
図３は、この特許文献１に記載されたリモートコントロール送信機１００のブロック図であり、所定周波数の発振信号を分周回路１０２へ出力する発振回路１０１を備え、分周回路１０２により分周された発振信号は、後述するキャリア信号としてパルス変調回路１０９へ出力されるとともに、タイミング発生回路１０３により所定のクロック信号として出力コントロール回路１０４とキー入力部１０５へ出力される。
【０００５】
キー入力部１０５は、タイミング発生回路１０３から入力されるクロック信号をもとに複数の出力線から互いに異なるタイミングで、スキャン信号を出力する。複数のキーからなるキーボードスイッチ１０７は、図示するように、マトリックス状に、キー入力部１０５の出力線と、キー出力部１０６の入力線の各交差位置にキーが配列され、入力操作されたキーの出力線と入力線間が接続することからキー出力部１０６のいずれかの入力線にスキャン信号が表れ、コードレジスタ１０８は、そのキースキャン信号が表れる入力線とそのタイミングから入力操作されたキーを検出する。
【０００６】
コードレジスタ１０８は、入力操作を検出したキーから、そのキーに予め関連付けられた制御コード（制御命令）を、出力コントロール回路１０４を経て、パルス変調回路１０９へ出力する。パルス変調回路１０９は、制御コードでＰＰＭ変調した後、更に変調信号でキャリア周波数を二次変調してスイッチングトランジスタ１１０へ出力する。スイッチングトランジスタ１１０は、この二次変調信号によってスイッチング制御され、スイッチングトランジスタ１１０に直列に接続される赤外線送信用のＬＥＤ１１１が駆動制御される。
【０００７】
上述の各回路から構成されるリモートコントロール送信機１００は、実際の製品として量産される場合には、図３において破線で示す枠１１２内に示される各回路が、ＣＰＵ（Ｃｅｎｔｒａｌ  Ｐｒｏｃｅｓｓｉｎｇ  Ｕｎｉｔ）、アプリケーションプログラム等を格納するＲＯＭ、演算処理用ＲＡＭ（Ｒａｎｄｏｍ  Ａｃｃｅｓｓ  Ｍｅｍｏｒｙ）、赤外制御信号を生成する制御信号生成回路、タイマなどを一個のＩＣチップ内に内蔵する１個のマイクロコンピュータ１２０に集積化され、図４に示すように、１個のマイクロコンピュータ１２０により前記リモートコントロール送信機１００の動作が制御される。尚、図４において、図３に対応する回路素子、回路部品には、同一の番号を付している。
【０００８】
ここでマイクロコンピュータに内蔵されるＲＯＭは、電源を受けずに書き込んだアプリケーションプログラムの内容が変化しないことから、システムを起動させるブートプログラムや固定したシステムを制御するアプリケーションプログラムを格納するメモリーとして用いられている。このうち、製造時にプログラミングされるマスクＲＯＭ（Ｍａｓｋ  Ｒｅａｄ  Ｏｎｌｙ  Ｍｅｍｏｒｙ）は、プログラムを書込む為の回路がないので、比較的構成が簡単で低コストであり、この種のマイクロコンピュータ１２０に内蔵されている。
【発明の開示】
【発明が解決しようとする課題】
【０００９】
しかしながら、このマスクＲＯＭは、特定の使用条件に適合するように製造後プログラミングすることができないという汎用性に欠け、同じ機種を大量生産しなければ、効果的なコスト削減は実現できない。従って、他種類の各機種について大量の在庫を確保しておく必要があった。
【００１０】
また、所要のアプリケーションプログラムを格納したマスクＲＯＭを新たに製造するには長期間を要するため、被制御機器の急な仕様変更などに対応するリモートコントロール送信機を短期間に製造することができなかった。
【００１１】
そこで、本出願人は、リモートコントロール送信機の製造ラインでプログラムを書き込むことが可能なプログラマブルＲＯＭ（以下、ＰＲＯＭという）を内蔵し、比較的低価格で、少量の被制御機器に対しても短期間に、対応するリモートコントロール送信機の製造可能なマイクロコンピュータを、リモートコントロール送信機に搭載することを検討した。
【００１２】
ＰＲＯＭを内蔵するマイクロコンピュータを用いれば、被制御機器に対応するアプリケーションプログラムを、リモートコントロール送信機の製造工程でＰＲＯＭへ書き込むことができるので、汎用のマイクロコンピュータを用意しておけば、種々の被制御機器を遠隔制御可能なリモートコントロール送信機を短期間に製造することができる。
【００１３】
このマイクロコンピュータ１２０は、赤外発光素子１１１の発光を制御するスイッチングトランジスタ１１０、ＣＲ発振回路１０１等の他の電子部品とともに、プリント配線基板上のパターンへ半田付けして実装され、その全体が合成樹脂製のケースに覆われ、リモートコントロール送信機が製造される。
【００１４】
従って、スイッチングトランジスタ１１０と発振回路１０１は、種々のリモートコントロール送信機に共通して用いることが可能な汎用部品でありながら、個々に製造して同一のプリント配線基板へ実装され、短期間にリモートコントロール送信機を製造するためには、別な在庫として用意しておく必要があった。
【００１５】
更に、実装部品数が多いので、実装するプリント配線基板上に所定の実装面積を必要とし、プリント配線基板自体の小型化に限界があり、加えて、実装するＣＲ発振回路１０１の発振子は厚みがあるので、リモートコントロール送信機のケースの小型化、薄型化が図れず、そのケースのデザインも制約された。
【００１６】
本発明は、このような従来の問題点を考慮してなされたものであり、種々の被制御機器に対応するリモートコントロール送信機を短期間に製造可能なマイクロコンピュータを提供することを目的とする。
【００１７】
また、マイクロコンピュータを実装するプリント配線基板を小型化し、リモートコントロール送信機のケースの小型化、薄型化するマイクロコンピュータを提供することを目的とする。
【課題を解決するための手段】
【００１８】
上述の目的を達成するため、請求項１のマイクロコンピュータはキーボードスイッチのいずれかの操作されたキーを検出し、操作されたキーに応じた赤外制御信号を赤外発光素子から発光し、被制御機器を遠隔制御するリモートコントロール送信機に搭載され、リモートコントロール送信機の前記動作を制御するマイクロコンピュータであって、１個のＩＣチップで構成されるマイクロコンピュータに、リモートコントロール送信機の動作を制御する任意のアプリケーションプログラムを書き換え可能に格納するプログラマブルＲＯＭと、プログラマブルＲＯＭに格納されたアプリケーションプログラムを実行するＣＰＵと、ＣＰＵの動作クロックを生成するＣＲ発振回路と、赤外発光素子を駆動制御する発光素子ドライブ回路とが、内蔵されることを特徴とする。
【００１９】
任意のアプリケーションプログラムを書き換え可能に格納するプログラマブルＲＯＭを内蔵することにより、マイクロコンピュータは、異なる種類のリモートコントロール送信機に搭載できる。更に、汎用の回路であるＣＲ発振回路と発光素子ドライブ回路を内蔵するので、異なる種類のリモートコントロール送信機に共通する主要部品が、１個のＩＣチップで構成される。
【００２０】
請求項２のマイクロコンピュータは、マイクロコンピュータを構成するＩＣチップは、キーボードスイッチのスイッチ電極が印刷形成されたプリント配線基板上に実装され、ＩＣチップをリモートコントロール送信機のプリント配線基板へ実装する際に、インラインライタにより、アプリケーションプログラムがプログラマブルＲＯＭに書き込まれることを特徴とする。
【００２１】
マイクロコンピュータを実装するプリント配線基板が、キーボードスイッチのスイッチ電極が印刷形成されたプリント配線基板に兼ねられ、更に、ＣＲ発振回路と発光素子ドライブ回路を構成する回路部品が実装されないので、プリント配線基板の全体が、大幅に小型化される。
【００２２】
マイクロコンピュータの実装工程で、リモートコントロール送信機の動作に対応するアプリケーションプログラムがインラインライタによってプログラマブルＲＯＭに書き込まれる。
【００２３】
請求項３のマイクロコンピュータは、マイクロコンピュータを構成するＩＣチップが、パッケージに封入されないまま、キーボードスイッチのスイッチ電極が印刷形成されたプリント配線基板上に実装され、ワイヤボンディングにより、ＩＣチップのボンディングパッドが、プリント配線基板の対応するリードパターンへ電気接続されることを特徴とする。
【００２４】
マイクロコンピュータの各ボンディングパッドは、プリント配線基板の対応するリードパターンに、半田接続することなく電気接続される。従って、リモートコントロール送信機の主要部品が半田接続することなく、プリント配線基板のリードパターンに接続され、鉛を使用する実装工程がなくなる。
【発明の効果】
【００２５】
請求項１の発明によれば、リモートコントロール送信機の動作を制御する任意のアプリケーションプログラムをＰＲＯＭに格納自在とするので、リモートコントロール送信機の製造工程で、被制御機器に対応するアプリケーションプログラムを書き込むことができ、在庫をかかえることなく、短期間に種々の被制御機器の動作を制御するリモートコントロール送信機を製造できる。
【００２６】
また、異なる種類のリモートコントロール送信機に汎用のＣＲ発振回路と、発光素子ドライブ回路を、汎用部品となるマイクロコンピュータに内蔵するので、プリント配線基板への実装部品数が減少し、実装工程が簡略化される。
【００２７】
また、マイクロコンピュータを実装するプリント配線基板自体も小型化できるので、より自由にリモートコントロール送信機の外形をデザインすることが可能となる。
【００２８】
更に、衝撃で故障しやすいＣＲ発振子を用いないので、手に持って操作するリモートコントロール送信機を落下させても、故障が生じにくい。
【００２９】
また、請求項２の発明によれば、キーボードスイッチのスイッチ電極が印刷形成されたプリント配線基板が小型化される。更に、マイクロコンピュータを実装したプリント配線基板を、キーボードスイッチのスイッチ電極を含む種々のリモートコントロール送信機に、汎用して用いることができる。
【００３０】
これに加えて請求項３の発明によれば、リモートコントロール送信機の主要回路部品を、半田接続することなくプリント配線基板のリードパターンへ電気接続し、その他の赤外発光素子、バッテリー接続用端子などのわずかな部品は、鉛を使用しない糸半田による手作業で接続し、鉛を使用せずにリモートコントロール送信機を製造できる。
【００３１】
また、マイクロコンピュータの実装工程において、半田漕に浸漬けたり、表面実装する際の高温のリフロー炉にさらされることがないので、プリント配線基板に耐熱性が要求されず、安価に製造できる。
【発明を実施するための最良の形態】
【００３２】
以下、本発明に係るマイクロコンピュータ（以下、マイコンという）１を、図１、図２を用いて説明する。図１は、マイコン１が搭載されたリモートコントロール送信機１０の主要部を示すブロック図である。
【００３３】
リモートコントロール送信機１０の動作は、マイコン１によって制御されるものであり、同図に示すように、マイコン１には、複数のキー１１、１１・・からなるキーボードスイッチ１２が接続されている。キーボードスイッチ１２は、マイコン１のＫＩ／０１乃至ＫＩ／０６の入出力信号端子から引き出された出力リードパターン１３Ａと、ＫＩ０乃至ＫＩ３の入力信号端子から引き出された入力リードパターン１３Ｂが、互いに絶縁して図示しないプリント配線基板上にマトリックス状に配線され、一対のスイッチ電極を、交差位置で交差する出力リードパターン１３Ａと入力リードパターン１３Ｂへそれぞれ接続して、キー１１が形成される。一対のスイッチ電極は、キー１１の図示しないラバーシートの操作摘みを入力操作することにより互いに接続し、これにより、操作されたキー１１がマイコン１により検出される。
【００３４】
すなわち、マイコン１は、ＫＩ／０１乃至ＫＩ／０６から相互に異なるタイミングでキースキャン信号を周期的に出力するもので、いずれかのキー１１が入力操作されると、ＫＩ０乃至ＫＩ３のいずれかにキースキャン信号が表れることから、キースキャン信号が入力された入力信号端子と、その入力タイミングから操作されたキー１１を検出している。
【００３５】
マイコン１のＶＤＤ端子は、直流電源１４に接続するとともに、ＶＳＳ端子を接地し、直流電源ＶＤＤを駆動電源として入力している。ここでは、直流電源１４は、リモートコントロール送信機１０のケースに収容されるバッテリーである。尚、ここでは、マイコン１に入力される電源電圧を安定化させるために、直流電源１４と並列にコンデンサ１５を接続しているが、直流電圧がマイコン１の動作に影響しない程度に安定していれば、設ける必要はない。
【００３６】
マイコン１のＲＥＭ端子は、スイッチング素子を介することなく、赤外発光ダイオード１６のアノードに接続し、直接ＲＥＭ端子から出力される出力電流を制御することによって赤外発光ダイオード１６の発光を制御している。
【００３７】
図２は、このマイコン１内の構成を示すブロック図で、マイコン１は、入出力ポートＫＩ／Ｏ、入力ポートＫＩ、アプリケーションプログラムを実行するＣＰＵ２、アプリケーションプログラム等が格納されるＰＲＯＭ３、演算用ＲＡＭ（Ｒａｎｄｏｍ  Ａｃｃｅｓｓ  Ｍｅｍｏｒｒｙ）４、ＣＲ発振回路５、搬送波生成回路部６、発光素子ドライブ回路７、９−ｂｉｔタイマー８等がバスラインを介して相互に接続した状態で、１個のＩＣチップに集積化され、パッケージに封入されたものである。
【００３８】
入出力ポートＫＩ／Ｏは、図示しないインターフェースを介してマイコン１のＫＩ／０１乃至ＫＩ／０６の入出力信号端子に接続する６つの入出力ポートであり、ＣＰＵ２の制御により、前述したようにキーボードスイッチ１２の入力操作されたキー１１を検出するため、各入出力ポートから異なるタイミングでキースキャン信号を出力する。また、入力ポートＫＩは、同様に図示しないインターフェースを介して信号端子（ＫＩ０乃至ＫＩ３）に接続する４つの入力ポートであり、上記キースキャン信号を入力する。
【００３９】
ＣＰＵ２は、ＰＲＯＭ３に格納されたアプリケーションプログラムに従って所定の演算、動作を実行し、また、後述するように、インラインライタが接続された場合には、インラインライタから出力されるアプリケーションプログラムをＰＲＯＭ３へ書き込む。
【００４０】
キーボードスイッチ１２の各キー１１、１１・・には、被制御機器の例えばテレビジョン受像機の電源、音量、チャンネル切替などの動作の制御命令が関連付けられ、入力ポートＫＩのいずれかに入力されるキースキャン信号によって特定のキー１１への操作が検出されると、ＣＰＵ２は、そのキー１１に関連付けられた動作の制御命令で、ＰＰＭ（Ｐｕｌｓｅ  Ｐｏｓｉｔｉｏｎ  Ｍｏｄｕｌａｔｉｏｎ）変調したＰＰＭ変調信号を生成する。
【００４１】
マイコン１に内蔵されるＰＲＯＭ３は、ここでは、ＯＴＰ（Ｏｎｅ  Ｔｉｍｅ  ｐｒｏｇｒａｍｍａｂｌｅ）ＲＯＭを用いている。ＯＴＰＲＯＭ３に格納されるアプリケーションプログラムは、マイコン１をリモートコントロール送信機１０へ搭載する際、すなわちリモートコントロール送信機１０の図示しないプリン配線基板へマイコン１を実装する工程で、実装ラインと同一ライン上に設置されたインラインライタによってＯＴＰＲＯＭ３の所定領域に書き込まれる。ＰＲＯＭ３は、もともと不揮発メモリーでありながら、必要最小限に書き換えを可能としたメモリーデバイスであることから、マイコン１に内蔵のＰＲＯＭ３は、アドレスバス、データバスなどが直接外部に引き出されない。そこで、ＰＲＯＭ３にアプリケーションプログラムを書き込む際には、上述したようにマイコン１の動作モードを書き込みモードに切り換え、マイコン１から、周辺回路、システムとの接続のために引き出される信号端子、ここではキーボードスイッチ１２と接続する信号端子（ＫＩ、ＫＩ／Ｏ）を、ＰＲＯＭ３へアクセスする信号端子として利用し、アプリケーションプログラムを書き込む。
【００４２】
マイコン１に内蔵のＣＰＵ２では、上述したように、入力操作されたキー１１に対応して被制御機器の動作を制御する制御命令を生成するものであることから、遠隔制御する被制御機器に応じて、被制御機器毎に対応するアプリケーションプログラムがＯＴＰＲＯＭ３に書き込まれる。本発明によれば、個々のアプリケーションプログラムをウエハ処理工程で書き込むマスクＲＯＭを被制御機器毎に製造することなく、ＯＴＰＲＯＭ３を含む汎用のマイコン１を用意しておき、マイコン１を実装して組み立てる段階で、被制御機器毎に対応するアプリケーションプログラムをＯＴＰＲＯＭ３へ書き込むので、短期間に、かつ在庫をかかえることなく、種々の被制御機器を動作させるリモートコントロール送信機１０を製造できる。
【００４３】
演算用ＲＡＭ４は、ＯＴＰＲＯＭ３に格納されるアプリケーションプログラムや、ＣＰＵ２による演算結果、生成したデータ等を、マイコン１の動作中一時的に記憶するものである。
【００４４】
ＣＲ発振回路５は、マイコン１内で例えば４ＭＨｚの所定周波数のクロックを発生させるもので、９−ｂｉｔタイマー８は、このクロックを分周し、搬送波生成回路部６が生成する搬送波の周波数としている。ＣＲ発振回路５は、トランジスタにコンデンサや抵抗を組み合わせて構成されるので集積化が可能であり、また、他の発振回路に比較し、発振が安定していて、マイコン１へ内蔵しても発振精度を２％程度の誤差内とすることができ、リモートコントロール送信機１０の動作に支障がないことから、マイコン１への内蔵が可能となったものである。
【００４５】
搬送波生成回路部６は、９−ｂｉｔタイマー８から出力される周波数信号から固定周波数の搬送波を生成する。
【００４６】
発光素子ドライブ回路７は、いずれかの操作されたキーへ１１を検出した際にＣＰＵ２で生成されるＰＰＭ変調信号によって、上記固定周波数の搬送波を二次変調し、二次変調した変調信号によって、ＲＥＭ端子から赤外発光ダイオード１６の駆動電流を出力する。すなわち、例えば、二次変調した変調信号が、ＰＰＭ変調信号が「Ｈ」レベルにある間に搬送波を出力し、「Ｌ」レベルにある間出力を停止するものであるとすると、「Ｈ」レベルにある間に、ＲＥＭ端子から、搬送波の固定周波数で赤外発光ダイオード１６を点滅させる駆動電流を出力する。
【００４７】
従って、入力操作された特定キー１１に関連づけられた動作の制御命令を表す変調信号によって赤外発光ダイオード１６の発光が制御され、制御命令を含む赤外制御信号がリモートコントロール送信機１０から発光される。この赤外制御信号を受光した被制御機器、例えばテレビジョン受像機は、赤外制御信号から制御命令を復調し、制御命令に従って、入力操作されたキー１１に関連づけられた動作を実行する。
【００４８】
発光素子ドライブ回路７は、従来のマイコン１とは別に設けられていた赤外発光ダイオード１６を駆動制御するスイッチング素子に相当するものであるが、トランジスタで構成されるスイッチング素子は、集積化することが可能であり、また、異なるリモートコントロール送信機に汎用して用いられる部品であることから、本発明では、汎用部品とするマイコン１に内蔵したものである。
【００４９】
このように構成されたマイコン１は、キーボードスイッチ１２のスイッチ電極、出力リードパターン１３Ａ及び入力リードパターン１３Ｂが印刷形成されたプリント配線基板へ、入出力信号端子、入力信号端子、ＲＥＭ端子、ＶＤＤ端子などを対応するリードパターンへ半田付けして実装される。マイコン１は、リモートコントロール送信機１０の動作に必要な主要な回路部品を１個のＩＣチップに内蔵するものであることから、プリント配線基板に実装される他の部品は、図１から明らかなように、赤外発光ダイオード１６と、直流電源１４を接続するためのバッテリー端子、及び必要な場合に設けられるコンデンサ１５のみであり、実装部品数が減少し、実装工程が簡略化されるとともに、プリント配線基板を縮小化させることができる。
【００５０】
マイコン１の他の上述部品を実装したプリント配線基板は、キーボードスイッチ１２の各スイッチ電極を覆うように、可動電極が対向する内面に設けられた可撓性ラバーシートを重ね、絶縁ケース内に収容されて、リモートコントロール送信機１０が製造される。
【００５１】
上述の実施の形態では、マイコン１は、ＩＣチップをパッケージに封入し、マイコン１から引き出される入力信号端子等をプリント配線基板の対応するリードパターンへ半田付けして実装するものであったが、パッケージに封入することなくＩＣを露出させたベアチップの状態で、入出力信号端子、入力信号端子等のマイコン１の各端子に相当するボンディングパッドを、ボンディング細線でプリント配線基板の対応するリードパターンへ接続させてもよい。
【００５２】
このように、ワイヤボンディングによりマイコン１をプリント配線基板へ実装することにより、残る赤外発光ダイオード１６、バッテリー端子、コンデンサ１５は、鉛を用いない糸半田でプリント配線基板のリードパターンへ接続させることができ、鉛を全く使用せずにリモートコントロール送信機１０を製造することが可能となる。
【００５３】
また、マイコン１を実装するプリント配線基板を、表面実装工程で高熱のリフロー炉内に配置したり、高熱の半田漕に浸漬することがないので、耐熱性が要求されない材料を用いることが可能となり、コストダウンが可能となる。
【００５４】
この実施の形態では、プリント配線基板への実装前にアプリケーションプログラムを書き込むことができないので、マイコン１が実装されたプリント配線基板をオンボードライタ上に載置し、ボンディングパッドに接続するプリント配線基板のリードパターンを、それぞれ対向するオンボードライタの書き込み用端子に接続させ、ＰＲＯＭ３に格納させておくブートプログラムに従って動作し、マイコン１の入出力ピンを介してＰＲＯＭ３へ任意のアプリケーションプログラムを書き込む。ここでブートプログラムは、マイコン１に電源が投入された際にＣＰＵ２をＰＲＯＭ３への書き込みモードとするＰＲＯＭ３の製造時に書き込まれるプログラムである。
【００５５】
以上の実施の形態では、ＰＲＯＭの一例として、ＯＴＰＲＯＭで説明したが、少なくともＲＯＭの製造後にアプリケーションプログラムを書込可能なものであれば、ＰＰＲＯＭ（Ｐｒｏｄｕｃｔｉｏｎ  ｐｒｏｇｒａｍｍｅｄ  ｒｅａｄ  ｏｎｌｙ  Ｍｅｍｏｒｙ）、紫外線の照射によりプログラムを消去し、専用のＥＰロムライタで書き換え可能なＥＰＲＯＭ、電気信号にてプログラムを消去、書き換え自在とするフラッシュＲＯＭ（ＥＥＰＲＯＭ）などであってもよい。
【００５６】
また、上述の実施の形態では、マイコン１を、キーボードスイッチ１２のスイッチ電極が印刷形成されたプリント配線基板へ実装したが、キーボードスイッチ１２は、マイコン１が実装されるプリント配線基板と別の基板で形成し、相互のパターンを電気接続してもよい。例えば、キーボードスイッチを、可撓性絶縁プラスチック製フィルム基板を折り重ね、わずかな絶縁間隙を隔てて対向する対向面に、可動電極と固定電極を導電性インクで印刷してキー１１を形成するものであってもよい。このように、電極などを印刷可能な可撓性絶縁プラスチック製フィルム基板でキーボードスイッチを形成すると、電極、リードパターンのレイアウト変更が、フィルム基板へ印刷パターンを変えるだけで対応することができる。従って、キーの位置や数が異なる種々のレイアウトのキーボードスイッチを形成でき、キー数の相違に対応するアプリケーションプログラムをＰＲＯＭに格納することにより、異なるキーボードスイッチのリモートコントロール送信機も短期間に製造することができる。
【００５７】
更に、上述の実施の形態では、直流電源１４に並列に接続されるコンデンサ１５は、別部品としてプリント配線基板へ実装したが、集積化してマイコン１へ内蔵させてもよい。
【産業上の利用可能性】
【００５８】
本発明は、被制御機器を遠隔制御するリモートコントロール送信機に搭載されるマイクロコンピュータに適している。
【図面の簡単な説明】
【００５９】
【図１】マイコン１が搭載されたリモートコントロール送信機１０のブロック図である。
【図２】マイコン１内の構成を示すブロック図である。
【図３】リモートコントロール送信機１００のブロック図である。
【図４】従来のマイコン１２０が搭載されたリモートコントロール送信機１００のブロック図である。
【符号の説明】
【００６０】
１      マイクロコンピュータ
２      ＣＰＵ
３      プログラマブルＲＯＭ（ＯＴＰＲＯＭ）
５      ＣＲ発振回路
７      発光素子ドライブ回路
１０    リモートコントロール送信機
１１    キー
１２    キーボードスイッチ
１６    赤外発光素子（赤外発光ダイオード）
【図１】
2006332981.tif 000003
【図２】
2006332981.tif 000004
【図３】
2006332981.tif 000005
【図４】
2006332981.tif 000006